(57)【要約】  【課題】  高周波フィルタを小型にすること。  【解決手段】  プラスチックフィルム１０１の厚さ方向にその軸を揃えた柱状の強磁性体１０５と、接地電位を有する電極に接近した伝送線路とを備え、プラスチックフィルム１０１を折り畳むことにより、入力１０４ａと出力１０４ｂの電極間が接近し小型化する。【選択図】  図１
2005167538.tif 000002
【特許請求の範囲】
【請求項１】
プラスチックフィルムの厚さ方向に柱の軸を揃えて埋め込まれた柱状強磁性体と、
接地電位を有する電極に近接した伝送線路と
を備え、当該プラスチックフィルムが折り畳まれた高周波フィルタ。
【請求項２】
プラスチックフィルムの折り畳みにより対向する伝送線路の間に、絶縁物で覆われ且つ接地された電極板を挟みこんだ、請求項１に記載の高周波フィルタ。
【請求項３】
請求項２に記載の絶縁物の内部に、電極板に対してその軸を垂直に立てた柱状の強磁性体を埋め込んだ、請求項２に記載の高周波フィルタ。
【発明の詳細な説明】
【技術分野】
【０００１】
本発明はマイクロ波領域での強磁性共鳴を利用した高周波フィルタに関する。
【背景技術】
【０００２】
従来の高周波フィルタとしては、プラスチックフィルムに柱状の強磁性体を埋め込んでいるものがあった（例えば、非特許文献１参照）。図４は、この非特許文献１に記載された従来の高周波フィルタを示す。
【０００３】
図４において、（ａ）は高周波フィルタの斜視図であり、（ｂ）は（ａ）に示す切断面１０６での断面図である。幅２ｃｍ、長さ２ｃｍ、厚さ２２μｍのポリカーボネートからなるプラスチックフィルム１０１には、ランダムに開いた孔１０２（１０9個／ｃｍ2、直径１２０ｎｍ）に、金属（Ｃｏ、Ｎｉ、Ｎｉ／Ｆｅ）からなる強磁性体１０５が電気メッキにより埋め込まれていた。電気メッキにより埋め込まれる金属の量は孔１０２の８０％程度で孔１０２をすべて埋め尽くすまで行っておらず、このことによって陰極１０３と幅５００μｍ厚さ１．５μｍのストリップ電極１０４がショートしないようにしていた。磁性体としてＣｏを用い、プラスチックフィルム１０１の表面に対して垂直に磁場を印加して埋め込まれた磁性体の磁化を飽和させた後に、磁場を印加せず入力１０４ａからマイクロ波を投入すると、マイクロ波は柱状の強磁性体１０５が有する磁化のマイクロ波磁場成分中での歳差運動によって吸収され、出力１０４ｂ側における減衰量は１０ＧＨｚで−５ｄＢ、２０ＧＨｚで−１５ｄＢ程度であった。減衰のピークは２５ＧＨｚで、減衰量−３５ｄＢを有していた。入力１０４ａと出力１０４ｂの距離は２ｃｍであった。
【非特許文献１】G. Goglio, S. Pignard, A. Radulescu, and L. Piraux: APPLIED PHYSICS LETTERS, VOLUME 75, NUMBER 12, 1999年, p. 1769-1771.
【発明の開示】
【発明が解決しようとする課題】
【０００４】
しかしながら、従来の構成では、マイクロ波と相互作用する柱状の強磁性体１０５の量、即ち柱状の強磁性体１０５の密度を一定とした場合、ストリップ電極１０４の長さがマイクロ波の減衰量に依存するので、小型の機器にフィルタを組み込めるように入力１０４ａと出力１０４ｂを繋ぐ伝送線路であるストリップ電極１０４を短くしてしまっては充分な減衰量を得ることが困難であるという課題を有していた。
【０００５】
本発明は、この従来の課題を解決するもので、減衰量を低下させることなく入力と出力の電極位置間の距離を縮めた高周波フィルタを提供することを目的とする。
【課題を解決するための手段】
【０００６】
この従来の課題を解決するために、本発明の高周波フィルタは、強磁性体を埋め込んだプラスチックフィルムを折り畳んだ構造を有し、ストリップ電極の長さを保ったまま入力と出力の電極間の距離短縮化を行う。
【０００７】
本構成によって、高周波フィルタを小型化することができる。
【発明の効果】
【０００８】
本発明の高周波フィルタによれば、マイクロ波の減衰量を低下させること無く、入力と出力の電極間距離を短縮し、小型電子機器に搭載することができる。
【発明を実施するための最良の形態】
【０００９】
以下本発明の実施の形態について、図面を参照しながら説明する。
【００１０】
（実施の形態１）
図１は、本発明の実施の形態１における高周波フィルタの構造図である。図１において、図４と同じ構成要素については同じ符号を用い、説明を省略する。
【００１１】
図１において、（ａ）は斜視図、（ｂ）は（ａ）に示す切断面１０６での断面図である。折り畳んだプラスチックフィルム２０１は従来の柱状の強磁性体１０５が埋め込まれたプラスチックフィルム１０１を幅２ｃｍ・長さ８ｃｍのサイズで用意し、４重に折り畳んだものである。プラスチックフィルム１０１を構成するプラスチック材料は従来例で使用されたポリカーボネートに限定するものではなく、特に好ましい材料の１例としてポリイミドが挙げられる。また、埋め込まれた柱状の強磁性体１０５の材料についても従来例（Ｎｉ、Ｃｏ、Ｎｉ／Ｆｅ）に限定するものではない。プラスチックフィルム１０１のサイズを長くしたので、伝送線路のストリップ電極２０４の長さ、およびそれに接近する接地電位の陰極２０３の長さも従来の２ｃｍから４ｃｍに伸ばしている。なお、ストリップ電極２０４と陰極２０３の厚さはそれぞれ１．５μｍである。入力１０４ａと出力１０４ｂの電極の距離（直線距離）は１ｃｍである。
【００１２】
かかる構成によればプラスチックフィルム１０１が折り畳まれることにより、入力１０４ａと出力１０４ｂの電極が接近することとなり小型機器にも搭載することができる。加えて、従来例より長いストリップ電極２０４をプラスチックフィルム１０１上に形成できたので、マイクロ波の減衰量が増大するという有利な効果も得られる。
【００１３】
なお、本実施の形態において、ストリップ電極２０４として従来例と同様な直線形状の伝送線路としてストリップ電極２０４を設けたが、スパイラル形状としても良い。
【００１４】
なお、本実施の形態において、折り畳みにより向かい合ったストリップ電極２０４の間に両電極が電気的に接触しないように絶縁物を挿入してもかまわない。同様に、折り畳みにより向かい合った陰極２０３の間にも絶縁物を挿入してもかまわない。
【００１５】
（実施の形態２）
図２は、本発明の実施の形態２における高周波フィルタの断面図である。図２において、図１および図４と同じ構成要素については同じ符号を用い、説明を省略する。
【００１６】
図２において、挿入電極３０３は柱状の強磁性体１０５が埋め込まれた誘電体３０１により絶縁され、図には明示されていないが陰極２０３と同電位になるように接地されている。強磁性体１０５が柱状形状であることにより、強い反磁場効果が存在し、その磁化は柱の軸方向（図面左右方向）に向きやすい。ストリップ電極２０４からのマイクロ波の磁場成分は其々の強磁性体１０５の磁化に垂直に向くこととなり、効果的に強磁性共鳴が発生する配置である。また、強磁性体１０５の柱の直径は１２０ｎｍ程度であり、マイクロ波の表皮効果の厚さと同程度若しくはそれ以下であることが求められる。
【００１７】
かかる構成によればストリップ電極２０４の間に強磁性体１０５を内蔵する誘電体３０１が挿入されることにより、入出力電極間（すなわち、入力１０４ａおよび１０４ｂ）が接近した状態でも、マイクロ波の吸収領域がストリップ電極２０４の両面に拡大し減衰量を増大させることができる。
【００１８】
（実施の形態３）
図３は、本発明の実施の形態３における高周波フィルタの断面図である。図３において、図１、図２および図４と同じ構成要素については同じ符号を用い、説明を省略する。
【００１９】
図３において、プラスチックフィルム２０１は３重に折り畳まれている。紙面下部から上部に向かう方向が鉛直方向で、折り畳んでもフィルタの高さは２００μｍ以下である。
【００２０】
かかる構成によればプラスチックフィルム２０１がフィルタの高さ方向（図面上下方向）に折り畳まれることにより、入出力電極間（すなわち、入力１０４ａおよび１０４ｂ）が狭まると同時にフィルタの高さも低く抑えることができる。
【産業上の利用可能性】
【００２１】
本発明にかかる高周波フィルタは、GHｚ領域の周波数成分を小型ながら高い抑圧比でカットする能力を有し、パソコンなどに代表されるGHｚのクロック周波数で動作する機器から放出される高周波ノイズを抑制する素子等として有用である。また外部磁場の導入により吸収周波数を変化させマイクロ波の通過量を制御する用途にも応用できる。
【図面の簡単な説明】
【００２２】
【図１】本発明の実施の形態１における高周波フィルタの構造図、（ａ）斜視図、（ｂ）断面図
【図２】本発明の実施の形態２における高周波フィルタの断面図
【図３】本発明の実施の形態３における高周波フィルタの断面図
【図４】従来の高周波フィルタの構造図、（ａ）斜視図、（ｂ）断面図
【符号の説明】
【００２３】
１０１  プラスチックフィルム
１０２  孔
１０３  陰極
１０４  ストリップ電極
１０４ａ  入力
１０４ｂ  出力
１０５  強磁性体
１０６  切断面
２０１  折り畳んだプラスチックフィルム
２０３  陰極
２０４  ストリップ電極
３０１  誘電体
３０３  挿入電極
【図１】
2005167538.tif 000003
【図２】
2005167538.tif 000004
【図３】
2005167538.tif 000005
【図４】
2005167538.tif 000006